(57)【要約】      （修正有）【課題】ピッキングやサムターン回し等による不正な解錠を防ぐ安全な盗難防止用錠を実現する。【解決手段】扉の室外表面に鍵穴が無く、扉の右側或いは左側にハンドルだけが取り付けてある玄関扉の室外と室内の枠内に、円形永久磁石６ａ、６ｂの反発力により突出付勢されたラッチボルト１を設けると共に、ラッチボルトに取り付けたラック５と噛み合うピニオン歯車９、ピニオン歯車に連動する２段歯車機構１０、１４、およびラック１１を設け、ラック１１に多極の円形永久磁石１３を取り付けた。玄関扉の室外表面に円形永久磁石１３に対応する多極の永久磁石を近づけると、円形永久磁石１３が吸引されてラック１１が直線運動し、それに連動してラッチボルトが没入して解錠される。【選択図】図３
2005256589.tif 000002
【特許請求の範囲】
【請求項１】
図３に示すようにラッチボルト（１）とストライク（２）及びラッチボルトを支える容器（４）と、
該ストライク（２）の中へラッチボルト（１）を挿入する時にラッチボルト（１）の後方に細い円柱棒に円形のヨークの中に装荷した永久磁石Ｍ１（６ａ）を固定した。Ｍ１の後方に間隔  を隔てて円形のヨークの中に装荷した永久磁石Ｍ２（６ｂ）を置く。
２個の円形永久磁石Ｍ１（６ａ）の磁極面の磁極が（Ｎ極或いはＳ極）と円形永久磁石Ｍ２（６ｂ）の磁極面の磁極を（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するときに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔を保持するために円柱棒（７ａ）を支持台（８ａ）の横に設けた六角ナット（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）が時計方向あるいは反時計方向に回転すれば良い。
このような動作を自動的にするためには図３ａに示すように２段歯車機構（１０）と図３ｂに示すようにピニオン歯車（９）の軸と２段歯車機構（１０）のＡの歯車の軸を直接結合した。Ｄの歯車の軸と２段歯車機構（１４）のＤの歯車の軸も直接結合した。
ラック（５）が往復直線運動してピニオン歯車（９）が回転する。ピニオン歯車（９）の軸を介して（１０）と（１４）の２個の２段歯車機構の各歯車が連動するとラック（１１）の下部に取り付けた円形永久磁石Ｍ３（１３）も作動する。
ラック（１１）が滑らかに往復直線運動できるように、ラック（１１）の両面にベアリング（１２）の幅の溝を付けた。このラック（１１）の両面に付けた溝に左右２個のベアリング（１２）を沿わす。ラック（１１）が往復直線運動すると左右２個のベアリングはそれぞれ回転する。
図４ａと図４ｂに示すようにラック（１１）を垂直に支える枠（１２ａ）の左右両側に上下２個ずつベアリング（１２）がある。ベアリンク（１２）を設ける事によってラック（１１）が滑らかに往復直線運動する。
図２に示す玄関扉の室外と室内のアルミニュウム板の枠内にこの装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３）の磁極面の磁極がＳ極である。このＮ極をＳ極に近づけると磁力線はアルミニュウム板を透磁して円形永久磁石Ｍ３（１３）の間に異極間が生じる。異極間に吸引力が働くと、玄関扉の室外のアルミニュウム板の方へ円形永久磁石Ｍ３（１３）が引き寄せられる。
この吸引力でラック（１１）が往復直線運動すると２段歯車機構（１４）の各々の歯車が連動して２段歯車機構（１０）も作動する。ピニオン歯車が回転するとラック（５）も往復直線運動してストライク（２）の中からラッチボルト（１）を抽出して玄関扉が開く。
次に玄関扉の室外アルミニュウム板の表面に沿って動かす角形又は円形永久磁石を取り除くと円形永久磁石Ｍ３（１３）への吸引力は無くなる。吸引力が無くなると円形永久磁石Ｍ１（６ａ）とＭ２（６ｂ）の同極間の反発力は常時働いているので、ストライク（２）の中へラッチボルト（１）が挿入する。ラッチボルト（１）を挿入するとラッチボルト（１）の側面に取り付けたラック（５）が往復直線運動する。ラック（５）が往復直線運動してピニオン歯車（９）が回転する。ピニオン歯車の軸を介して（１０）と（１４）の２個の２段歯車機構の各歯車が連動するとラック（１１）の下部に取り付けた円形永久磁石Ｍ３（１３）も作動し、円形永久磁石Ｍ３（１３）は玄関扉の室外アルミニュウム板から自動的に離れて玄関扉が閉まる。
もし偶然に円形永久磁石Ｍ３（１３）の磁極面の磁極が分からなくてもＭ３（１３）の配置した場所さえわかれば、玄関扉の室外アルミニュウム板に沿って動かす角形又は円形永久磁石の磁極面の磁極をＮ極或いはＳ極にする。このＮ極或いはＳ極を円形永久磁石Ｍ３（１３）に近づけて吸引力が働けば玄関扉は簡単に開けられ家人が大変困る。
その対策として、開発した盗難防止用鍵の安全性を高めるために円形永久磁石Ｍ３（１３）と玄関扉の室外アルミニュウム板に沿って動かす角形又は円形永久磁石も図４ｃに示す丸形多極或いは角形多極を用いれば磁極数がわからない限り暗証番号と同じで簡単に玄関扉は開かない。
安全な盗難防止用鍵の装置に用いた永久磁石を電気磁石にして用いる事も出来る。その場合商用周波数５０Ｈｚ或いは６０Ｈｚで、交流電圧が１００Ｖから変圧器で低電圧にして用いる方法がある。交流電圧は＋−が交互に変化するので（電気磁石の磁極はＮ極とＳ極が交互にかわる）騒音が出やすい。騒音を無くすには交流電圧を直流電圧に変換して使用する。電気磁石を用いると装置が大きくなり、又停電した時には蓄電池に切り替える装置が不可欠であり、費用もかなり高くなる欠点がある。
現在市販されている角形又は円形永久磁石は小型で色々の種類のものがあって磁力もかなり強い。停電しても心配ないし、価額もかなり安いという利点がある。
以上の利点から安全な盗難防止用鍵の装置には現在市販に出ている永久磁石を用いた。
図３に示すように２個の２段歯車機構とラックおよびピニオン歯車そうして円形永久磁石Ｍ３（１３）を図４ｃに示す丸形多極或いは角形多極にして構成した安全な盗難防止用鍵の装置。
【請求項２】
図５に示すように２個のラッチボルト（１Ａと１Ｂ）とストライク（２）及びラッチボルト（１Ａと１Ｂ）を支える容器（４）と、
該ストライク（２）の中へラッチボルト（１Ａと１Ｂ）を挿入する時は図５に示すようにラッチボルト（１Ａ）の後方に細い円柱棒に円形永久磁石Ｍ４（１５ａ）を固定し、ラッチボルト（１Ｂ）の後方にも細い円柱棒に円形永久磁石Ｍ５（１５ｂ）を固定にした。図５に示すように円形永久磁石Ｍ４とＭ５は並列に並んだ後方に間隔  を隔てて角形のヨークの中に装荷した永久磁石Ｍ６（１６）を置く。
２個の円形永久磁石Ｍ４（１５ａ）とＭ５（１５ｂ）の磁極面の磁極は（Ｎ極か或いはＳ極）で角形永久磁石Ｍ６（１６）の磁極面の磁極は（Ｎ極か或いはＳ極）である。３個のＭ４とＭ５及びＭ６の永久磁石の磁極面の磁極をＮ極にすると、磁石の同極同士は反発する。Ｍ１とＭ２の同極間には反発力が働く。２個の円形永久磁石（Ｍ４とＭ５）と角形永久磁石Ｍ６の同極間でも反発力が働く。この反発力でストライク（２）の中へ２個のラッチボルト（１Ａと１Ｂ）が挿入し、自動的に鍵が掛かる。
２個の円形永久磁石（Ｍ４とＭ５）と角形永久磁石Ｍ６の同極間の反発力の大きさを微調整するために角形永久磁石Ｍ６を円柱棒（７ｂ）に結合して、円柱棒（７ｂ）を支持台（８ａ）で支えた。円柱棒（７ｂ）を可動して最適値が決まると２個の円形永久磁石永久磁石（Ｍ４とＭ５）と角形永久磁石Ｍ６の間隔  を保持するために円柱棒（７ｂ）を支持台（８ａ）の横に設けた止めネジ（８ｃ）で固定した。
図５に示すようにこの盗難防止用鍵は１つのストライク（２）の中に独立した２個のラッチボルト（１Ａ）と（１Ｂ）が抽出或いは挿入できるような構造にしてある。
最初にラッチボルト（１Ａ）の動作について述べる。
ストライク（２）の中からラッチボルト（１Ａ）を抽出或いは挿入する場合ラッチボルト（１Ａ）の側面に取り付けてあるラック（５ａ）が往復直線運動する。ラック（５ａ）が滑らかに往復直線運動するようにラック（５ａ）と噛み合う相手のピニオン歯車（９ａ）も時計方向あるいは反時計方向に回転すれば良い。
このような動作を自動的に出来るようにするには図５に示す２段歯車機構（１０ａ）と図３ｂに示すようにピニオン歯車（９ａ）の軸と２段歯車機構（１０ａ）のＡの歯車の軸を直接結合した。Ｄの歯車の軸と２段歯車機構（１４ａ）のＤの歯車の軸もサンエス・フレックスシャフト（１８ａ）を用いて結合した。
円形永久磁石Ｍ４（１５ａ）の磁極面の磁極がＮ極で角形永久磁石Ｍ６（１６）の磁極面の磁極がＮ極であると同極間で反発力が働く。この反発力でストライク（２）の中へラッチボルト（１Ａ）が挿入する。ラッチボルト（１Ａ）の側面に取り付けてあるラック（５ａ）も往復直線運動してピニオン歯車（９ａ）が回転するとピニオン歯車の軸を介して（１０ａ）と（１４ａ）の２個の２段歯車機構の各歯車が連動する。図４ｂに示すようにラック（１１ａ）の下部に取り付けた円形永久磁石Ｍ３（１３ａ）は玄関扉の室外アルミニュウム板から離れる。
ラック（１１ａ）が滑らかに往復直線運動できるように、ラック（１１ａ）の両面にベアリング（１２）の幅の溝を付けた。このラック（１１ａ）の両面に付けた溝に左右２個のベアリング（１２）を沿わす。ラック（１１ａ）が往復直線運動すると左右２個のベアリングは回転する。
図４ａに示すようにラック（１１ａ）を垂直に支える枠（１２ａ）の左右両側に上下２個ずつベアリング（１２）がある。ベアリング（１２）を設ける事によってラック（１１ａ）が滑らかに往復直線運動できる。
図２に示す玄関扉の室外と室内のアルミニュウム板の枠内に上に述べた装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３ａ）の磁極面の磁極はＳ極である。このＮ極をＭ３（１３ａ）に近づけると磁力線はアルミニュウム板を透磁して円形永久磁石Ｍ３（１３ａ）の間に異極間が生じる。異極間に吸引力が働くと、玄関扉の室外のアルミニュウム板の方へ円形永久磁石Ｍ３（１３ａ）が引き寄せられる。
この吸引力でラック（１１ａ）が往復直線運動すると２段歯車機構（１４ａ）の各々の歯車が連動して２段歯車機構（１０ａ）も作動する。ピニオン歯車（９ａ）が回転するとラック（５ａ）も往復直線運動してストライク（２）の中からラッチボルト（１Ａ）を抽出して玄関扉が開く。
次に玄関扉の室外アルミニュウム板の表面に沿って動かす角形又は円形永久磁石を取り除くと円形永久磁石Ｍ３（１３ａ）への吸引力は無くなる。この吸引力がないとＭ３（１３ａ）は室外アルミニュウム板から離れると２段歯車機構は動作しない。ラッチボルト（１Ａ）はストライク（２）の中へ挿入する。その動作を説明する。
円形永久磁石Ｍ４（１５ａ）と角形永久磁石Ｍ６（１６）の両方の磁極面の磁極はＮ極である。Ｍ４（１５ａ）とＭ６（１６）の磁石の同極同士は反発する。同極間の反発力は常時働いているので、ストライク（２）の中へラッチボルト（１Ａ）が挿入する。ラッチボルト（１Ａ）か挿入するとラッチボルト（１Ａ）の側面に取り付けたラック（５ａ）が往復直線運動する。ラック（５ａ）が往復直線運動してピニオン歯車（９ａ）か回転する。ピニオン歯車（９ａ）を介して（１０ａ）と（１４ａ）の２個の２段歯車機構の各歯車が連動するとラック（１１ａ）の下部に取り付けた円形永久磁石Ｍ３（１３ａ）も作動し、円形永久磁石Ｍ３（１３ａ）は玄関扉の室外アルミニュウム板から自動的に離れて玄関扉が閉まる。
次にラッチボルト（１Ｂ）の動作について述べる。
ストライク（２）の中からラッチボルト（１Ｂ）を抽出又は挿入する時にラッチボルト（１Ｂ）の側面に取り付けてあるラック（５ｂ）が往復直線運動するとラック（５ｂ）と噛み合う相手のピニオン歯車（９ｂ）を時計方向あるいは反時計方向に回転すれば良い。
このような動作を自動的に出来るようにするためには図５に示す２段歯車機構（１０ｂ）と図３ｂに示すようにピニオン歯車（９ｂ）の軸と２段歯車機構（１０ｂ）のＡの歯車の軸を直接結合し、Ｄの歯車の軸と２段歯車機構（１４ｂ）のＤの歯車の軸もサンエス・フレックスシャフト（１８ｂ）を用いて結合した。
円形永久磁石Ｍ５（１５ｂ）の磁極面の磁極がＮ極で角形永久磁石Ｍ６（１６）の磁極面の磁極がＮ極であると同極間で反発力が働く。この反発力でストライク（２）の中へラッチボルト（１Ｂ）が挿入する。ラッチボルト（１Ｂ）の側面に取り付けてあるラック（５ｂ）も往復直線運動してピニオン歯車（９ｂ）が回転するとピニオン歯車の軸を介して（１０ｂ）と（１４ｂ）の２個の２段歯車機構の各歯車が連動する。図４ｂに示すようにラック（１１ｂ）の下部に取り付けた円形永久磁石Ｍ３（１３ｂ）は玄関扉の室外アルミニュウム板から離れる。
ラック（１１ｂ）が滑らかに往復直線運動できるように、ラック（１１ｂ）の両面にベアリング（１２）の幅の溝を付けた。このラック（１１ｂ）の両面に付けた溝に左右２個のベアリング（１２）を沿わす。ラック（１１ｂ）が往復直線運動すると左右２個のベアリング（１２ａ）はそれぞれ回転する。
図４ａに示すようにラック（１１ｂ）を垂直に支える枠（１２ａ）の左右両側に上下２個ずつベアリング（１２）がある。ベアリング（１２）を設ける事によってラック（１１ｂ）が滑らかに往復直線運動できる。
図２に示す玄関扉の室外と室内のアルミニュウム板の枠内に上に述べた装置を装荷する。玄関扉の室外アルミニュウム板の表面に沿って動かす角形又は円形永久磁石の磁極面の磁極をＮ極とする。
玄関扉の室外と室内のアルミニュウム板の枠内に装荷した円形永久磁石Ｍ３（１３ｂ）の磁極面の磁極はＳ極である。このＮ極をＳ極を近づけると磁力線はアルミニュウム板を透磁して円形永久磁石Ｍ３（１３ｂ）の間に異極間が生じる。異極間には吸引力が働くと、玄関扉の室外のアルミニュウム板の方へ円形永久磁石Ｍ３（１３ｂ）が引き寄せられる。
この吸引力でラック（１１ｂ）が往復直線運動すると２段歯車機構（１４ｂ）の各々の歯車が連動し２段歯車機構（１０ｂ）も作動する。ピニオン歯車（９ｂ）が回転するとラック（５ｂ）も往復直線運動してストライク（２）の中からラッチボルト（１Ｂ）を抽出して玄関扉が開く。
次に玄関扉の室外アルミニュウム板の表面に沿って動かす角形又は円形永久磁石を取り除くと円形永久磁石Ｍ３（１３ｂ）への吸引力は無くなる。この吸引力がないとＭ３（１３ｂ）は室外アルミニュウム板から離れると２段歯車機構（１４ｂ）は動作しない。ラッチボルト（１Ｂ）ストライク（２）の中へ挿入する。その動作を説明する。
円形永久磁石Ｍ５（１５ｂ）と角形永久磁石Ｍ６（１６）の両方の磁極面の磁極はＮ極である。Ｍ５（１５ｂ）とＭ６（１６）の磁石の同極同士は反発する。同極間の反発力は常時働いているので、ストライク（２）の中へラッチボルト（１Ｂ）が挿入する。ラッチボルト（１Ｂ）が挿入するとラッチボルト（１Ｂ）の側面に取り付けたラック（５ｂ）が往復直線運動する。ラック（５ｂ）が往復直線運動してピニオン歯車（９ｂ）が回転する。ピニオン歯車（９ｂ）を介して（１０ｂ）と（１４ｂ）の２個の２段歯車機構の各歯車が連動するとラック（１１ｂ）の下部に取り付けた円形永久磁石Ｍ３（１３ｂ）も作動し、円形永久磁石Ｍ３（１３ｂ）は玄関扉の室外アルミニュウム板から自動的に離れて玄関扉が閉まる。
ラッチボルト（１Ａ）と（１Ｂ）を別々にしたのは玄関扉の室外から角形永久磁石を室内の円形永久磁石Ｍ３（１３ａ）に近ずけてラッチボルト（１Ａ）の回路だけ動作させてもストライク（２）の中からラッチボルト（１Ａ）を抽出してもストライク（２）の中にはラッチボルト（１Ｂ）が挿入されたままになっているので玄関扉は開かない。
また、この逆の場合も同じである。ラッチボルト（１Ａ）と（１Ｂ）の２回路が同時に作動しないと玄関扉は開かない。
サンエス・フレックスシャフト（１８ａ）と（１８ｂ）の長さを変えてラッチボルト（１Ａ）と（１Ｂ）の２つの回路内の２段歯車機構（１４ａ）と（１４ｂ）の位置を任意に決められるし、円形永久磁石のＭ３（１３ａ）の磁極面の磁極をＳ極にし（１３ｂ）の磁極面の磁極をＮ極にする方法がある。
もし偶然に２個の円形永久磁石Ｍ３（１３ａ）の磁極面の磁極をＳ極と（１３ｂ）の磁極面の磁極をＮ極であることが分かり、２個の円形永久磁石Ｍ３（１３ａ）と（１３ｂ）の配置した場所も分かれば磁石の異極間には吸引力が作用する。
玄関扉の室外アルミニュウム板の表面に沿って動かす角形又は円形永久磁石の磁極面の磁極をＳ極とする。玄関扉の室外と室内のアルミニュウム板の枠内に装荷した円形永久磁石Ｍ３（１３）の磁極面の磁極がＮ極である。このＳ極をＮ極に近づけると磁力線はアルミニュウム板を透磁して円形永久磁石Ｍ３（１３ｂ）の間に異極間が生じる。異極間には吸引力が働くと、玄関扉は簡単に開けられ家人が大変困る。
その対策として、開発した盗難防止用鍵の安全性を高めるために図４ｃに示すように円形永久磁石のＭ３（１３ａ）と（１３ｂ）および玄関扉の室外アルミニュウム板の表面に沿って円形永久磁石のＭ３（１３ａ）と（１３ｂ）を吸引する２個の角形又は円形永久磁石も丸形多極或いは角形多極にすれば暗証番号と同じで簡単に玄関扉は開かない。
図５に示すように２つの回路系にして全て歯車機構と永久磁石を利用しているので簡単な回路構成で出来る最も安全な盗難防止用鍵の装置。
【請求項３】
図６に示すようにラッチボルト（１）とストライク（２）及びラッチボルトを支える容器（４）と、
該ストライク（２）の中へラッチボルト（１）を挿入する時にラッチボルト（１）の後方に細い円柱棒に永久磁石Ｍ１（６ａ）を固定し、Ｍ１の後方に間隔  を隔ててＭ２（６ｂ）を置く。２個の円形の永久磁石Ｍ１の磁極面の磁極を（Ｎ極或いはＳ極）とＭ２の磁極面の磁極を（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔  を保持するために円柱棒（７ａ）を支持台（８ａ）の横に設けた六角ナット（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）を時計方向あるいは反時計方向に回転すれば良い。
このような動作を自動的にするには図３ａに示すように２段歯車機構（１０）と図３ｂに示すようにピニオン歯車（９）の軸と２段歯車機構（１０）のＡの歯車の軸を直接結合した。Ｄの歯車の軸と２個の２段歯車機構（１４ａと１４ｂ）との結合間に傘歯車を用いた２分配回路を作成して結合した。
傘歯車を用いた２分配回路の入力（１９ａ）の歯車軸と２段歯車機構（１０）のＤの歯車の軸と直接結合し、出力（１９ｂ）の歯車軸は歯車機構（２０）を介して２段歯車機構（１４ａ）へ結合する。もう一方の出力（１９ｃ）の歯車軸は歯車機構（２１）を介して２段歯車機構（１４ｂ）へ結合した。
傘歯車を用いた２分配回路の入力（１９ａ）の歯車の回転方向と２個の２段歯車機構（１４ａと１４ｂ）の回転方向を同じ回転方向にするために回転方向を正または負方向に変えられる変換歯車機構（２０）と（２１）を用いた。
ラック（５）も同時に往復直線運動してピニオン歯車（９）が回転するとピニオン歯車の軸を介して２段歯車機構から２分配回路系（１９ａ）を介し、２個の２段歯車機構（１４ａ）と（１４ｂ）の各歯車が連動すると図４ａと図４ｂに示すように（１４ａ）と（１４ｂ）のラック（１１）の下部に取り付けた円形永久磁石Ｍ３（１３ａ）と（１３ｂ）も作動する。
２個の２段歯車機構（１４ａ）と（１４ｂ）に用いているラックを（１１）を（１１ａ）と（１１ｂ）とする。ラック（１１ａ）と（１１ｂ）が滑らかに往復直線運動できるようにラック（１１ａ）と（１１ｂ）の両面にベアリング（１２）の幅の溝を付けた。このラック（１１ａ）と（１１ｂ）の両面に付けた溝に各々左右２個のベアリング（１２）を沿わす。ラック（１１ａ）と（１１ｂ）が往復直線運動すると左右２個のベアリング（１２）は回転する。
Ｉ番目に図２に示す玄関扉の室外と室内のアルミニュウム板の枠内に図６に示す装置を装荷する。玄関扉の室外アルミニュウム板も表面に沿って動かす２個の角形又は円形永久磁石の磁極面の磁極をＮ極とし、一方の角形又は円形永久磁石の磁極面の磁極をＳ極とする。玄関扉の室外と室内のアルミニュウム板の枠内に装荷した円形永久磁石Ｍ３（１３ａ）の磁極面の磁極をＳ極とし、一方のＭ３（１３ｂ）の磁極面の磁極はＮ極とする。角形又は円形永久磁石のＮ極を玄関扉の室外アルミニュウム板を介して円形永久磁石Ｍ３（１３ａ）のＳ極に近づける。次に角形又は円形永久磁石のＳ極を円形永久磁石Ｍ３（１３ｂ）のＮ極に近づける。Ｍ３（１３ａ）とＭ３（１３ｂ）の両方に異極間が生じる。異極間に吸引力が働くと円形永久磁石Ｍ３（１３ａ）とはＭ３（１３ｂ）は玄関扉の室外のアルミニュウム板の方へ引き寄せられる。この吸引力でラック（１１）と（１１ｂ）が往復直線運動すると２段歯車機構（１４ａ）と（１４ｂ）の各々の歯車機構が連動し、傘歯車も回転して２段歯車機構（１０）も作動する。ピニオン歯車（９）が回転するとラック（５）も往復直線運動してストライク（２）の中からラッチボルト（１）を抽出して玄関扉が開く。
ＩＩ番目に玄関扉の室外アルミニュウム板も表面に沿って動かす２個の角形又は円形永久磁石の両方を取り除くと、玄関扉の室外と室内の枠内に装荷してある円形永久磁石Ｍ３（１３ａ）とＭ３（１３ｂ）の両方には吸引力は無い。吸引力がなくなると円形永久磁石Ｍ１（６ａ）とＭ２（６ｂ）の同極間の反発力は常時働いているので、ストライク（２）の中へラッチボルト（１）が挿入する。ラッチボルト（１）が挿入するとラッチボルト（１）の側面に取り付けたラック（５）が往復直線運動する。ラック（５）が往復直線運動してピニオン歯車（９）が回転する。ピニオン歯車（９）を介して２段歯車機構（１０）の各歯車が連動して傘歯車を用いた２分配回路から２個の歯車機構（１４ａ）と（１４ｂ）の各々の歯車が連動するとラック（１１ａ）と（１１ｂ）の下部に取り付けた円形永久磁石Ｍ３（１３ａ）とＭ３（１３ｂ）も作動し、円形永久磁石Ｍ３（１３ａ）とＭ３（１３ｂ）は玄関扉の室外アルミニュウム板から自動的に離れて玄関扉が閉まる。
ＩＩＩ番目に玄関扉の室外アルミニュウム板も表面に沿って動かす２個の角形又は円形永久磁石の磁極面の磁極をＮ極とし、もう一方の角形又は円形永久磁石を取り除く。
角形又は円形永久磁石の磁極面の磁極がＮ極と円形永久磁石Ｍ３（１３ａ）の磁極面の磁極がＳ極の間に異極間が生じて吸引力が働く。この吸引力で円形永久磁石Ｍ３（１３ａ）は玄関扉の室外アルミニュウム板の方へ引き寄せようとするが、２段歯車機構（１４ａ）の各々の歯車か作動しにくい。その理由は２段歯車機構（１４ａ）の歯車軸から傘歯車の軸へ連動して２段歯車機構（１４ｂ）へと連動しようとするが、Ｍ３（１３ｂ）は吸引力が無いので室外アルミニュウム板から離れているので、２段歯車機構（１４ｂ）は作動しない。
なぜならば２段歯車機構（１４ａ）の軸から傘歯車を用いた２分配回路系を経て２段歯車機構（１４ｂ）の方向と２段歯車機構（１０）の方向へと分かれ、それぞれ大きな負荷が掛かった事になる。２段歯車機構（１４ａ）の各々の歯車が作動しにくいのでストライク（２）の中へラッチボルト（１）が挿入したままでは抽出出来ないので玄関扉は開かない。この逆の場合も同じである。
図３ｂに示すように２段歯車機構（１０）のＤ歯車の軸と２分配回路の入力側の軸をサンエス・フレックスシャフトで結合し、２分配回路の２つの出力側の軸から２段歯車機構（１４ａ）と（１４ｂ）サンエス・フレックスシャフト（１８）で結合する。サンエス・フレックスシャフト（１８）の長さを変えて用いると２分配回路の位置と２段歯車機構（１４ａ）および（１４ｂ）の配置をそれぞれ任意に決められるし、円形永久磁石のＭ３（１３ａ）の磁極面の磁極をＳ極にし（１３ｂ）の磁極をＮ極にする方法がある。
もし偶然に２個の円形永久磁石Ｍ３（１３ａ）の磁極面の磁極をＳ極と（１３ｂ）の磁極がＮ極であることがわかり、２個の円形永久磁石Ｍ３（１３ａ）と（１３ｂ）の配置した場所もわかれば磁石の異極間には吸引力が作用するから玄関扉の室外アルミニュウム板の表面に沿って動かす角形又は円形永久磁石の磁極面の磁極も（１３ａ）に対してＮ極にし、（１３ｂ）に対してはＳ極にすれば玄関扉は簡単に開けられて家人が大変困る。
その対策として、開発した盗難防止用鍵の安全性を高めるために円形永久磁石のＭ３（１３ａ）と（１３ｂ）および玄関扉の室外アルミニュウム板の表面に沿って動かす２個の角形又は円形永久磁石も図４ｃに示す丸形多極または角形多極を用いれば磁極数がわからない限り暗証番号と同じで簡単に玄関扉を開かない。
図６に示すような回路系にして構成した安全な盗難防止用鍵の装置。
【発明の詳細な説明】
【技術分野】
【０００１】  本発明は、図２に示すように玄関扉に鍵穴は無く、扉の室外にはハンドルだけである。玄関扉の室外と室内の枠内に安全な盗難防止用鍵を装荷し、永久磁石を用いて室外から玄関扉を開閉できる盗難防止用鍵に関するものである。
【背景技術】
【０００２】  従来から図１に示すようにシリンダが取り付けられ、更に補助鍵を取り付けられてある。鍵穴に鍵を挿入して開錠し玄関扉を開閉する。最も代表的な鍵が採用されている。【０００３】  現在主流となっている玄関扉の鍵については図１に示す。現在騒がれているピッキングと玄関扉の室外の一部に電動ドリルで穴をあけて細い針金を挿入してサムターン回しをするか或いは郵便受けから腕を入れて鍵を１０分以内で開錠する方法、これ以外に鍵のにぎりを壊して玄関扉をあけて泥棒が侵入する場合が非常に多い。
【発明の開示】
【発明が解決しようとする課題】
【０００４】  従って本発明は３種類の安全な盗難防止用鍵を開発した。最初の安全な盗難防止用鍵の装置を図３に示す。２番目の安全な盗難防止用鍵の装置は図５に示す。３番目の安全な盗難防止用鍵の装置は図６に示す。３種類の安全な盗難防止用鍵は２段歯車機構と傘歯車及び円形または角形永久磁石を用いた安全な盗難防止用鍵を考案した。
これらの３種類の安全な盗難防止用鍵を用いると玄関扉の室外表面には鍵穴は無く、玄関扉の右側或いは左側にはハンドルだけが取り付けてある。
使用する家人が３種類の安全な盗難防止用鍵の装置の内１つを選択して玄関扉の室外と室内のアルミニュウム板の枠内に２段歯車機構と永久磁石を丸形多極或いは角形多極を用いた安全な盗難防止用鍵を装荷する。
永久磁石を丸形多極或いは角形多極にすれば暗証番号と同じで永久磁石の磁極数が分からないと簡単に玄関扉を開ける事が出来ない。泥棒の侵入を防ぐ安全な盗難防止用鍵を実現することを目的とする。
【課題を解決しようとする手段】
【０００５】  上記の目的を達成するために、本発明に拘わる最初の鍵穴の無い玄関扉に取り付ける安全な歯車機構と永久磁石を用いた盗難防止用鍵の構造を図３に示す。固定した玄関扉に取り付けたストライク（２）の中へラッチボルト（１）を挿入する時に玄関扉は鍵が掛かった状態になる。玄関扉を強く引いてもラッチボルト（１）が強度に十分耐えられるように容器（４）で支えた。
ストライク（２）の中へラッチボルト（１）が挿入する時の動作について詳細に述べる。ラッチボルト（１）の後方に細い円柱棒に円形永久磁石Ｍ１（６ａ）を固定した。Ｍ１の後方に間隔を隔てて円形のヨークの中に装荷した永久磁石Ｍ２（６ｂ）を置く。
２個の円形永久磁石Ｍ１（６ａ）の磁極面の磁極が（Ｎ極或いはＳ極）と円形永久磁石Ｍ２（６ｂ）の磁極面の磁極を（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するときに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔  を保持するために円柱棒（７ａ）を支持台（８ａ）の横に設けた六角ナット（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）が時計方向あるいは反時計方向に回転すれば良い。
このような動作を自動的にするためには図３ａに示す２段歯車機構（１０）と図３ｂに示すようにピニオン歯車（９）の軸と２段歯車機構（１０）のＡの歯車の軸を直接結合した。Ｄの歯車の軸と２段歯車機構（１４）のＤの歯車の軸も直接結合した。
ラック（５）が往復直線運動してピニオン歯車（９）が回転する。ピニオン歯車の軸を介して（１０）と（１４）の２個の２段歯車機構の各歯車が連動するとラック（１１）の下部に取り付けた円形永久磁石Ｍ３（１３）も作動する。
ラック（１１）が滑らかに往復直線運動できるように、ラック（１１）の両面にベアリング（１２）の幅の溝を付けた。このラック（１１）の両面に付けた溝に左右２個のベアリング（１２）を沿わす。ラック（１１）が往復直線運動すると左右２個のベアリングはそれぞれ回転する。
図４ａと図４ｂに示すようにラック（１１）を垂直に支える枠（１２ａ）の左右両側に上下２個ずつベアリング（１２）がある。ベアリング（１２）を設ける事によってラック（１１）が滑らかに往復直線運動する。
図２に示す玄関扉の室外と室内のアルミニュウム板の枠内にこの装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３）の磁極面の磁極がＳ極である。このＮ極をＳ極に近づけると磁力線はアルミニュウム板を透磁して円形永久磁石Ｍ３（１３）の間に異極間が生じる。異極間に吸引力が働くと、玄関扉の室外のアルミニュウム板の方へ円形永久磁石Ｍ３（１３）が引き寄せられる。
この吸引力でラック（１１）が往復直線運動すると２段歯車機構（１４）の各々の歯車が連動して２段歯車機構（１０）も作動する。ピニオン歯車が回転するとラック（５）も往復直線運動してストライク（２）の中からラッチボルト（１）を抽出して玄関扉が開く。
次に玄関扉の室外アルミニュウム板の表面に沿って動かす角形又は円形永久磁石を取り除くと円形永久磁石Ｍ３（１３）への吸引力は無くなる。吸引力が無くなると円形永久磁石Ｍ１（６ａ）とＭ２（６ｂ）の同極間の反発力は常時働いているので、ストライク（２）の中へラッチボルト（１）が挿入する。ラッチボルト（１）を挿入するとラッチボルト（１）の側面に取り付けたラック（５）が往復直線運動する。ラック（５）が往復直線運動してピニオン歯車（９）が回転する。ピニオン歯車の軸を介して（１０）と（１４）の２個の２段歯車機構の各歯車が連動するとラック（１１）の下部に取り付けた円形永久磁石Ｍ３（１３）も作動し、円形永久磁石Ｍ３（１３）は玄関扉の室外アルミニュウム板から自動的に離れて玄関扉が閉まる。
もし偶然に円形永久磁石Ｍ３（１３）の磁極面の磁極が分からなくてもＭ３（１３）の配置した場所さえわかれば、玄関扉の室外アルミニュウム板に沿って動かす角形又は円形永久磁石の磁極面の磁極をＮ極或いはＳ極にする。このＮ極或いはＳ極を円形永久磁石Ｍ３（１３）に近づけて吸引力が働けば玄関扉は簡単に開けられ家人が大変困る。
その対策として、開発した盗難防止用鍵の安全性を高めるために円形永久磁石Ｍ３（１３）と玄関扉の室外アルミニュウム板に沿って動かす角形又は円形永久磁石も図４ｃに示す丸形多極或いは角形多極を用いれば磁極数がわからない限り暗証番号と同じで簡単に玄関扉は開かない。
安全な盗難防止用鍵の装置に用いた永久磁石を電気磁石にして用いる事も出来る。その場合商用周波数５０Ｈｚ或いは６０Ｈｚで、交流電圧が１００Ｖから変圧器で低電圧にして用いる方法がある。交流電圧は＋−が交互に変化するので（電気磁石の磁極はＮ極とＳ極が交互にかわる）騒音が出やすい。騒音を無くすには交流電圧を直流電圧に変換して使用する。電気磁石を用いると装置が大きくなり、又停電した時には蓄電池に切り替える装置が不可欠であり、費用もかなり高くなる欠点がある。
現在市販されている角形又は円形永久磁石は小型で色々の種類のものがあって磁力もかなり強い。停電しても心配ないし、価額もかなり安いという利点がある。
以上の利点から安全な盗難防止用鍵の装置には現在市販に出ている永久磁石を用いた。
全て歯車機構と永久磁石を利用しているので簡単な回路構成で出来るので最も安全な盗難防止用鍵の装置を備えている。
【０００６】  更に本発明では、２番目の鍵穴の無い玄関扉に取り付ける最も安全な歯車機構と永久磁石を用いた盗難防止用鍵の構造を図５に示す。固定した玄関扉に取り付けたストライク（２）の中へラッチボルト（１Ａ）と（１Ｂ）を挿入した時に玄関扉は鍵が掛かった状態になる。玄関扉を強く引いてもラッチボルト（１Ａ）と（１Ｂ）が強度に十分耐えられるように容器（４）で支えた。
ストライク（２）の中へラッチボルト（１Ａと１Ｂ）を挿入する時は図５に示すようにラッチボルト（１Ａ）の後方に細い円柱棒に円形永久磁石Ｍ４（１５ａ）を固定し、ラッチボルト（１Ｂ）の後方にも細い円柱棒に円形永久磁石Ｍ５（１５ｂ）を固定にした。図５に示すように円形永久磁石Ｍ４とＭ５は並列に並んだ後方に間隔  を隔てて角形のヨークの中に装荷した永久磁石Ｍ６（１６）を置く。
２個の円形永久磁石Ｍ４（１５ａ）とＭ５（１５ｂ）の磁極面の磁極は（Ｎ極か或いはＳ極）で角形永久磁石Ｍ６（１６）の磁極面の磁極は（Ｎ極か或いはＳ極）である。３個のＭ４とＭ５及びＭ６の永久磁石の磁極面の磁極をＮ極にすると、磁石の同極同士は反発する。Ｍ１とＭ２の同極間には反発力が働く。２個の円形永久磁石（Ｍ４とＭ５）と角形永久磁石Ｍ６の同極間でも反発力が働く。この反発力でストライク（２）の中へ２個のラッチボルト（１Ａと１Ｂ）が挿入し、自動的に鍵が掛かる。
２個の円形永久磁石（Ｍ４とＭ５）と角形永久磁石Ｍ６の同極間の反発力の大きさを微調整するために角形永久磁石Ｍ６を円柱棒（７ｂ）に結合して、円柱棒（７ｂ）を支持台（８ａ）で支えた。円柱棒（７ｂ）を可動して最適値が決まると２個の円形永久磁石永久磁石（Ｍ４とＭ５）と角形永久磁石Ｍ６の間隔  を保持するために円柱棒（７ｂ）を支持台（８ａ）の横に設けた止めネジ（８ｃ）で固定した。
図５に示すようにこの盗難防止用鍵は１つのストライク（２）の中に独立した２個のラッチボルト（１Ａ）と（１Ｂ）が抽出或いは挿入できるような構造にしてある。
最初にラッチボルト（１Ａ）の動作について述べる。
ストライク（２）の中からラッチボルト（１Ａ）を抽出或いは挿入する場合ラッチボルト（１Ａ）の側面に取り付けてあるラック（５ａ）が往復直線運動する。ラック（５ａ）が滑らかに往復直線運動するようにラック（５ａ）と噛み合う相手のピニオン歯車（９ａ）も時計方向あるいは反時計方向に回転すれば良い。
このような動作を自動的に出来るようにするには図５に示す２段歯車機構（１０ａ）と図３ｂに示すようにピニオン歯車（９ａ）の軸と２段歯車機構（１０ａ）のＡの歯車の軸を直接結合した。Ｄの歯車の軸と２段歯車機構（１４ａ）のＤの歯車の軸もサンエス・フレックスシャフト（１８ａ）を用いて結合した。
円形永久磁石Ｍ４（１５ａ）の磁極面の磁極がＮ極で角形永久磁石Ｍ６（１６）の磁極面の磁極がＮ極であると同極間で反発力が働く。この反発力でストライク（２）の中へラッチボルト（１Ａ）が挿入する。ラッチボルト（１Ａ）の側面に取り付けてあるラック（５ａ）も往復直線運動してピニオン歯車（９ａ）が回転するとピニオン歯車の軸を介して（１０ａ）と（１４ａ）の２個の２段歯車機構の各歯車が連動する。図４ｂに示すようにラック（１１ａ）の下部に取り付けた円形永久磁石Ｍ３（１３ａ）は玄関扉の室外アルミニュウム板から離れる。
ラック（１１ａ）が滑らかに往復直線運動できるように、ラック（１１ａ）の両面にベアリング（１２）の幅の溝を付けた。このラック（１１ａ）の両面に付けた溝に左右２個のベアリング（１２）を沿わす。ラック（１１ａ）が往復直線運動すると左右２個のベアリング（１２）は回転する。
図４ａに示すようにラック（１１ａ）を垂直に支える枠（１２ａ）の左右両側に上下２個ずつベアリング（１２）がある。ベアリング（１２）を設ける事によってラック（１１ａ）が滑らかに往復直線運動できる。
図２に示す玄関扉の室外と室内のアルミニュウム板の枠内に上に述べた装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３ａ）の磁極面の磁極はＳ極である。このＮ極をＭ３（１３ａ）に近づけると磁力線はアルミニュウム板を透磁して円形永久磁石Ｍ３（１３ａ）の間に異極間が生じる。異極間に吸引力が働くと、玄関扉の室外のアルミニュウム板の方へ円形永久磁石Ｍ３（１３ａ）が引き寄せられる。
この吸引力でラック（１１ａ）が往復直線運動すると２段歯車機構（１４ａ）の各々の歯車が連動して２段歯車機構（１０ａ）も作動する。ピニオン歯車（９ａ）が回転するとラック（５ａ）も往復直線運動してストライク（２）の中からラッチボルト（１Ａ）を抽出して玄関扉が開く。
次に玄関扉の室外アルミニュウム板の表面に沿って動かす角形又は円形永久磁石を取り除くと円形永久磁石Ｍ３（１３ａ）への吸引力は無くなる。この吸引力がないとＭ３（１３ａ）は室外アルミニュウム板から離れると２段歯車機構は動作しない。ラッチボルト（１Ａ）はストライク（２）の中へ挿入する。その動作を説明する。
円形永久磁石Ｍ４（１５ａ）と角形永久磁石Ｍ６（１６）の両方の磁極面の磁極はＮ極である。Ｍ４（１５ａ）とＭ６（１６）の磁石の同極同士は反発する。同極間の反発力は常時働いているので、ストライク（２）の中へラッチボルト（１Ａ）が挿入する。ラッチボルト（１Ａ）が挿入するとラッチボルト（１Ａ）の側面に取り付けたラック（５ａ）が往復直線運動する。ラック（５ａ）が往復直線運動してピニオン歯車（９ａ）が回転する。ピニオン歯車（９ａ）を介して（１０ａ）と（１４ａ）の２個の２段歯車機構の各歯車が連動するとラック（１１ａ）の下部に取り付けた円形永久磁石Ｍ３（１３ａ）も作動し、円形永久磁石Ｍ３（１３ａ）は玄関扉の室外アルミニュウム板から自動的に離れて玄関扉が閉まる。
次にラッチボルト（１Ｂ）の動作について述べる。
ストライク（２）の中からラッチボルト（１Ｂ）を抽出又は挿入する時にラッチボルト（１Ｂ）の側面に取り付けてあるラック（５ｂ）が往復直線運動するとラック（５ｂ）と噛み合う相手のピニオン歯車（９ｂ）を時計方向あるいは反時計方向に回転すれば良い。
このような動作を自動的に出来るようにするためには図５に示す２段歯車機構（１０ｂ）と図３ｂに示すようにピニオン歯車（９ｂ）の軸と２段歯車機構（１０ｂ）のＡの歯車の軸を直接結合し、Ｄの歯車の軸と２段歯車機構（１４ｂ）のＤの歯車の軸もサンエス・フレックスシャフト（１８ｂ）を用いて結合した。
円形永久磁石Ｍ５（１５ｂ）の磁極面の磁極がＮ極で角形永久磁石Ｍ６（１６）の磁極面の磁極がＮ極であると同極間で反発力が働く。この反発力でストライク（２）の中へラッチボルト（１Ｂ）が挿入する。ラッチボルト（１Ｂ）の側面に取り付けてあるラック（５ｂ）も往復直線運動してピニオン歯車（９ｂ）が回転するとピニオン歯車の軸を介して（１０ｂ）と（１４ｂ）の２個の２段歯車機構の各歯車が連動する。図４ｂに示すようにラック（１１ｂ）の下部に取り付けた円形永久磁石Ｍ３（１３ｂ）は玄関扉の室外アルミニュウム板から離れる。
ラック（１１ｂ）が滑らかに往復直線運動できるように、ラック（１１ｂ）の両面にベアリング（１２）の幅の溝を付けた。このラック（１１ｂ）の両面に付けた溝に左右２個のベアリング（１２）を沿わす。ラック（１１ｂ）が往復直線運動すると左右２個のベアリングは回転する。
図４ａに示すようにラック（１１ｂ）を垂直に支える枠（１２ａ）の左右両側に上下２個ずつベアリング（１２）を設けた。ベアリング（１２）を設ける事によってラック（１１ｂ）が滑らかに往復直線運動できる。
図２に示す玄関扉の室外と室内のアルミニュウム板の枠内に上に述べた装置を装荷する。玄関扉の室外アルミニュウム板の表面に沿って動かす角形又は円形永久磁石の磁極面の磁極をＮ極とする。
玄関扉の室外と室内のアルミニュウム板の枠内に装荷した円形永久磁石Ｍ３（１３ｂ）の磁極面の磁極はＳ極である。このＮ極をＳ極を近づけると磁力線はアルミニュウム板を透磁して円形永久磁石Ｍ３（１３ｂ）の間に異極間が生じる。異極間には吸引力が働くと、玄関扉の室外のアルミニュウム板の方へ円形永久磁石Ｍ３（１３ｂ）が引き寄せられる。
この吸引力でラック（１１ｂ）が往復直線運動すると２段歯車機構（１４ｂ）の各々の歯車が連動し２段歯車機構（１０ｂ）も作動する。ピニオン歯車（９ｂ）が回転するとラック（５ｂ）も往復直線運動してストライク（２）の中からラッチボルト（１Ｂ）を抽出して玄関扉が開く。
次に玄関扉の室外アルミニュウム板の表面に沿って動かす角形又は円形永久磁石を取り除くと円形永久磁石Ｍ３（１３ｂ）への吸引力は無くなる。この吸引力がないとＭ３（１３ｂ）は室外アルミニュウム板から離れると２段歯車機構は動作しない。ラッチボルト（１Ｂ）ストライク（２）の中へ挿入する。その動作を説明する。
円形永久磁石Ｍ５（１５ｂ）と角形永久磁石Ｍ６（１６）の両方の磁極面の磁極はＮ極である。Ｍ５（１５ｂ）とＭ６（１６）の磁石の同極同士は反発する。同極間の反発力は常時働いているので、ストライク（２）の中へラッチボルト（１Ｂ）が挿入する。ラッチボルト（１Ｂ）が挿入するとラッチボルト（１Ｂ）の側面に取り付けたラック（５ｂ）が往復直線運動する。ラック（５ｂ）が往復直線運動してピニオン歯車（９ｂ）が回転する。ピニオン歯車（９ｂ）を介して（１０ｂ）と（１４ｂ）の２個の２段歯車機構の各歯車が連動するとラック（１１ｂ）の下部に取り付けた円形永久磁石Ｍ３（１３ｂ）も作動し、円形永久磁石Ｍ３（１３ｂ）は玄関扉の室外アルミニュウム板から自動的に離れて玄関扉が閉まる。
ラッチボルト（１Ａ）と（１Ｂ）を別々にしたのは玄関扉の室外から角形永久磁石を室内の円形永久磁石Ｍ３（１３ａ）に近ずけてラッチボルト（１Ａ）の回路だけ動作させてもストライク（２）の中からラッチボルト（１Ａ）を抽出してもストライク（２）の中にはラッチボルト（１Ｂ）が挿入されたままになっているので玄関扉は開かない。
また、この逆の場合も同じである。ラッチボルト（１Ａ）と（１Ｂ）の２回路が同時に作動しないと玄関扉は開かない。
サンエス・フレックスシャフト（１８ａ）と（１８ｂ）の長さを変えてラッチボルト（１Ａ）と（１Ｂ）の２つの回路内の２段歯車機構（１４ａ）と（１４ｂ）の位置を任意に決められるし、円形永久磁石のＭ３（１３ａ）の磁極面の磁極をＳ極にし（１３ｂ）の磁極面の磁極をＮ極にする方法がある。
もし偶然に２個の円形永久磁石Ｍ３（１３ａ）の磁極面の磁極をＳ極と（１３ｂ）の磁極面の磁極をＮ極であることが分かり、２個の円形永久磁石Ｍ３（１３ａ）と（１３ｂ）の配置した場所も分かれば磁石の異極間には吸引力が作用する。
玄関扉の室外アルミニュウム板の表面に沿って動かす角形又は円形永久磁石の磁極面の磁極をＳ極とする。玄関扉の室外と室内のアルミニュウム板の枠内に装荷した円形永久磁石Ｍ３（１３ａ）の磁極面の磁極がＮ極である。このＳ極をＮ極に近づけると磁力線はアルミニュウム板を透磁して円形永久磁石Ｍ３（１３ｂ）の間に異極間が生じる。異極間には吸引力が働くと、玄関扉は簡単に開けられ家人が大変困る。
その対策として、開発した盗難防止用鍵の安全性を高めるために図４ｃに示すように円形永久磁石のＭ３（１３ａ）と（１３ｂ）および玄関扉の室外アルミニュウ厶板の表面に沿って円形永久磁石のＭ３（１３ａ）と（１３ｂ）を吸引する２個の角形永久磁石も丸形多極或いは角形多極にすれば暗証番号と同じで簡単に玄関扉は開かない。
図５に示すように２つの回路系にして全て歯車機構と永久磁石を利用しているので簡単な回路構成で出来る最も安全な盗難防止用鍵の装置。
【０００７】  更に本発明では、３番目の鍵穴の無い玄関扉に取り付ける最も安全な２段歯車機構と永久磁石を用いた盗難防止用鍵の構造を図６に示す。固定した玄関扉に取り付けたストライク（２）の中へラッチボルト（１）を挿入した時に玄関扉の鍵が掛かった状態になる。玄関扉を強く引いてもラッチボルト（１）が強度に十分耐えられる容器（４）で支えた。
永久磁石を用いて自動的にストライク（２）の中へラッチボルト（１）が挿入する状態を述べる。
図６に示すようにラッチボルト（１）の後方に細い円柱棒に円形永久磁石Ｍ１（６ａ）を結合した。円形永久磁石Ｍ１（６ａ）の後方に間隔を隔てて円形の永久磁石Ｍ２（６ｂ）を置いた。２個の永久磁石Ｍ１（６ａ）の磁極面の磁極を（Ｎ極或いはＳ極）とＭ２（６ｂ）の磁極面の磁極を（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔  を保持するために円柱棒（７ａ）を支持台（８ａ）の横に設けた六角ナット（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）を時計方向あるいは反時計方向に回転すれば良い。
このような動作を自動的にするには図３ａに示すように２段歯車機構（１０）と図３ｂに示すようにピニオン歯車（９）の軸と２段歯車機構（１０）のＡの歯車の軸を直接結合した。Ｄの歯車の軸と２個の２段歯車機構（１４ａと１４ｂ）との結合間に傘歯車を用いた２分配回路を作成して結合した。
傘歯車を用いた２分配回路の入力（１９ａ）の歯車軸と２段歯車機構（１０）のＤの歯車の軸と直接結合し、出力（１９ｂ）の歯車軸は歯車機構（２０）を介して２段歯車機構（１４ａ）へ結合する。もう一方の出力（１９ｃ）の歯車軸は歯車機構（２１）を介して２段歯車機構（１４ｂ）へ結合した。
傘歯車を用いた２分配回路の入力（１９ａ）の歯車の回転方向と２個の２段歯車機構（１４ａと１４ｂ）の回転方向を同じ回転方向にするために回転方向を正または負方向に変えられる変換歯車機構（２０）と（２１）を用いた。
ラック（５）も同時に往復直線運動してピニオン歯車（９）が回転するとピニオン歯車の軸を介して２段歯車機構から２分配回路系（１９ａ）を介し、２個の２段歯車機構（１４ａ）と（１４ｂ）の各歯車が連動すると図４ａに示すように（１４ａ）と（１４ｂ）のラック（１１）との下部に取り付けた円形永久磁石Ｍ３（１３ａ）と（１３ｂ）も作動する。
２個の２段歯車機構（１４ａ）と（１４ｂ）に用いているラック（１１）を（１１ａ）と（１１ｂ）とする。ラック（１１ａ）と（１１ｂ）が滑らかに往復直線運動できるようにラック（１１ａ）と（１１ｂ）の両面にベアリング（１２）の幅の溝を付けた。このラック（１１ａ）と（１１ｂ）の両面に付けた溝に各々左右２個のベアリング（１２）を沿わす。ラック（１１ａ）と（１１ｂ）が往復直線運動すると左右２個のベアリング（１２）は回転する。
Ｉ番目に図２に示す玄関扉の室外と室内のアルミニュウム板の枠内に図６に示す装置を装荷する。玄関扉の室外アルミニュウム板も表面に沿って動かす２個の角形又は円形永久磁石の磁極面の磁極がＮ極とし、一方の角形又は円形永久磁石の磁極面の磁極はＳ極とする。玄関扉の室外と室内のアルミニュウム板の枠内に装荷した円形永久磁石Ｍ３（１３ａ）の磁極面の磁極をＳ極とし、一方のＭ３（１３ｂ）の磁極面の磁極はＮ極とする。角形又は円形永久磁石のＮ極を玄関扉の室外アルミニュウム板を介して円形永久磁石Ｍ３（１３ａ）のＳ極に近づける。次に角形又は円形永久磁石のＳ極を円形永久磁石Ｍ３（１３ｂ）のＮ極に近づける。Ｍ３（１３ａ）とＭ３（１３ｂ）の両方に異極間が生じる。異極間には吸引力が働くと円形永久磁石Ｍ３（１３ａ）とＭ３（１３ｂ）は玄関扉の室外のアルミニュウム板の方へ引き寄せられる。この吸引力でラック（１１ａ）と（１１ｂ）が往復直線運動すると２段歯車機構（１４ａ）と（１４ｂ）の各々の歯車機構が連動し、傘歯車も回転して２段歯車機構（１０）も作動する。ピニオン歯車（９）が回転するとラック（５）も往復直線運動してストライク（２）の中からラッチボルト（１）を抽出して玄関扉が開く。
ＩＩ番目に玄関扉の室外アルミニュウム板も表面に沿って動かす２個の角形又は円形永久磁石の両方を取り除くと、玄関扉の室外と室内の枠内に装荷してある円形永久磁石Ｍ３（１３ａ）とＭ３（１３ｂ）の両方には吸引力は無い。吸引力がなくなると円形永久磁石Ｍ１（６ａ）とＭ２（６ｂ）の同極間の反発力は常時働いているので、ストライク（２）の中へラッチボルト（１）が挿入する。ラッチボルト（１）が挿入するとラッチボルト（１）の側面に取り付けたラック（５）が往復直線運動する。ラック（５）が往復直線運動してピニオン歯車（９）が回転する。ピニオン歯車（９）を介して２段歯車機構（１０）の各歯車が連動して傘歯車を用いた２分配回路から２個の歯車機構（１４ａ）と（１４ｂ）の各々の歯車が連動するとラック（１１ａ）と（１１ｂ）の下部に取り付けた円形永久磁石Ｍ３（１３ａ）とＭ３（１３ｂ）も作動し、円形永久磁石Ｍ３（１３ａ）とＭ３（１３ｂ）は玄関扉の室外アルミニュウム板から自動的に離れて玄関扉が閉まる。
ＩＩＩ番目に玄関扉の室外アルミニュウム板も表面に沿って動かす２個の角形又は円形永久磁石の磁極面の磁極をＮ極とし、もう一方の角形又は円形永久磁石を取り除く。
角形又は円形永久磁石の磁極面の磁極がＮ極と円形永久磁石Ｍ３（１３ａ）の磁極面の磁極がＳ極の間に異極間が生じて吸引力が働く。この吸引力で円形永久磁石Ｍ３（１３ａ）は玄関扉の室外アルミニュウム板の方へ引き寄せようとするが、２段歯車機構（１４ａ）の各々の歯車が作動しにくい。その理由は２段歯車機構（１４ａ）の歯車軸から傘歯車の軸へ連動して２段歯車機構（１４ｂ）へと連動しようとするが、Ｍ３（１３ｂ）は吸引力が無いので室外アルミニュウ厶板から離れているので、２段歯車機構（１４ｂ）は作動しない。
なぜならば２段歯車機構（１４ａ）の軸から傘歯車を用いた２分配回路系を経て２段歯車機搆（１４ｂ）の方向と２段歯車機構（１０）の方向へと分かれ、それぞれ大きな負荷が掛かった事になる。２段歯車機構（１４ａ）の各々の歯車が作動しにくいのでストライク（２）の中へラッチボルト（１）が挿入したままでは抽出出来ないので玄関扉は開かない。この逆の場合も同じである。
２段歯車機構（１０）のＤ歯車の軸と２分配回路の入力側の軸をサンエス・フレックスシャフトで結合し、２分配回路の２つの出力側の軸から２段歯車機構（１４ａ）と（１４ｂ）サンエス・フレックスシャフト（１８）で結合する。サンエス・フレックスシャフト（１８）の長さを変えて用いると２分配回路の位置と２段歯車機構（１４ａ）および（１４ｂ）の配置をそれぞれ任意に決められるし、円形永久磁石のＭ３（１３ａ）の磁極面の磁極をＳ極にし（１３ｂ）の磁極をＮ極にする方法がある。
もし偶然に２個の円形永久磁石Ｍ３（１３ａ）の磁極面の磁極をＳ極と（１３ｂ）の磁極がＮ極であることが分かり、２個の円形永久磁石Ｍ３（１３ａ）と（１３ｂ）の配置した場所もわかれば磁石の異極間には吸引力が作用するから玄関扉の室外アルミニュウム板の表面に沿って動かす角形又は円形永久磁石の磁極面の磁極も（１３ａ）に対してＮ極にし、（１３ｂ）に対してはＳ極にすれば玄関扉は簡単に開けられて家人は大変困る。
その対策として、開発した盗難防止用鍵の安全性を高めるために円形永久磁石のＭ３（１３ａ）と（１３ｂ）および玄関扉の室外アルミニュウム板の表面に沿って動かす２個の角形又は円形永久磁石も図４ｃに示す丸形多極或いは角形多極を用いれば磁極数がわからない限り暗証番号と同じで簡単に玄関扉が開かない。
図６に示すような回路系にして構成した安全な盗難防止用鍵の装置を備えている。
【発明の効果】
【０００８】  本発明の３種類の最も安全な盗難防止用鍵の装置は全て２段歯車機構と丸形多極或いは角形多極を利用しており、ラックの下部に丸形多極或いは角形多極の磁石を取り付けた２段歯車機構（１４）と（１４ａ及び１４ｂ）はサンエス・フレックスシャフトを用いて結合するので玄関扉の室外と室内の枠内の自由な位置に取り付ける事ができる。
この盗難防止用鍵の装置を用いれば玄関扉の室外扉に鍵穴は不要である。もし永久磁石を用いて鍵を開ける事が分かっても２段歯車機構（１４）と（１４ａ及び１４ｂ）の配置した場所が分からないし、図４ｃに示すように永久磁石（１３）と（１３ａと１３ｂ）及び玄関扉の室外アルミニュウム板の表面に沿って動かす角形又は円形永久磁石も丸形多極或いは角形多極を用いれば磁石の磁極数が分からない限り簡単に玄関扉を開かない利点がある。
【発明を実施するための最良の形態】
【０００９】  次に本発明の実施の形態を述べると、本発明した３種類の２段歯車機構と丸形多極或いは角形多極の磁石を用いた最も安全な盗難防止用鍵を実現した。
【実施例１】
【００１０】  本発明の最初の装置の実施の形態を述べると、詳細な構造を図３を用いて説明する。
図３に示すように玄関扉の固定した扉に取り付けたストライク（２）の中へラッチボルト（１）を挿入した時に玄関扉の鍵が掛かった状態になる。玄関扉を強く引いてもラッチボルト（１）は強度に十分耐えられる容器（４）で支えた。
ラッチボルト（１）を一時的に停止したい時には容器の中央にあるネジ（３）を閉めればラッチボルト（１）は動かなくなる。通常はネジ（３）を緩めておかないと自動的に鍵が開閉出来ない。
永久磁石を用いて自動的にストライク（２）の中へラッチボルト（１）が挿入する状態を述べる。図３に示すようにラッチボルト（１）の後方に細い円柱棒に円形永久磁石Ｍ１（６ａ）を固定した。円形永久磁石Ｍ１（６ａ）の後方に間隔  を隔てて円形永久磁石Ｍ２（６ｂ）を置いた。２個の円形永久磁石Ｍ１（６ａ）の磁極面の磁極が（Ｎ極或いはＳ極）と円形永久磁石Ｍ２（６ｂ）の磁極面の磁極が（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するときに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔を保持するために円柱棒（７ａ）を支持台（８ａ）の横に設けたネジ（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）が時計方向あるいは反時計方向に回転すれば良い。
このような動作を自動的にするためには図３ａに示すように２段歯車機構（１０）と図３ｂに示すようにピニオン歯車（９）の軸と２段歯車機構（１０）のＡの歯車の軸を直接結合した。Ｄの歯車の軸と２段歯車機構（１４）のＤの歯車の軸も直接結合した。
ラック（５）が往復直線運動してピニオン歯車（９）が回転する。ピニオン歯車の軸を介して（１０）と（１４）の２個の２段歯車機構の各歯車が連動するとラック（１１）の下部に取り付けた円形永久磁石Ｍ３（１３）も作動する。
ラック（１１）が滑らかに往復直線運動できるように、ラック（１１）の両面にベアリング（１２）の幅の溝を付けた。このラック（１１）の両面に付けた溝に左右２個のベアリング（１２）を沿わす。ラック（１１）が往復直線運動すると左右２個のベアリングはそれぞれ回転する。
図４ａに示すようにラック（１１）を垂直に支える枠（１２ａ）の左右両側に上下２個ずつベアリング（１２）がある。ベアリング（１２）を設ける事によってラック（１１）が滑らかに往復直線運動する。
図２に示す玄関扉の室外と室内のアルミニュウム板の枠内にこの装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３）の磁極面の磁極がＳ極である。このＮ極をＳ極に近づけると磁力線はアルミニュウム板を透磁して円形永久磁石Ｍ３（１３）の間に異極間が生じる。異極間に吸引力が働くと、玄関扉の室外のアルミニュウム板の方へ円形永久磁石Ｍ３（１３）が引き寄せられる。
この吸引力でラック（１１）が往復直線運動すると２段歯車機構（１４）の各々の歯車が連動して２段歯車機構（１０）も作動する。ピニオン歯車が回転するとラック（５）も往復直線運動してストライク（２）の中からラッチボルト（１）を抽出して玄関扉が開く。
次に玄関扉の室外アルミニュウム板の表面に沿って動かす角形又は円形永久磁石を取り除くと円形永久磁石Ｍ３（１３）への吸引力は無くなる。吸引力が無くなると円形永久磁石Ｍ１（６ａ）とＭ２（６ｂ）の同極間の反発力は常時働いているので、ストライク（２）の中へラッチボルト（１）が挿入する。ラッチボルト（１）を挿入するとラッチボルト（１）の側面に取り付けたラック（５）が往復直線運動する。ラック（５）が往復直線運動してピニオン歯車（９）が回転する。ピニオン歯車の軸を介して（１０）と（１４）の２個の２段歯車機構の各歯車が連動するとラック（１１）の下部に取り付けた円形永久磁石Ｍ３（１３）も作動し、円形永久磁石Ｍ３（１３）は玄関扉の室外アルミニュウム板から自動的に離れて玄関扉が閉まる。
もし偶然に円形永久磁石Ｍ３（１３）の磁極面の磁極が分からなくてもＭ３（１３）の配置した場所さえわかれば、玄関扉の室外アルミニュウム板に沿って動かす角形又は円形永久磁石の磁極面の磁極をＮ極或いはＳ極にする。このＮ極或いはＳ極を円形永久磁石Ｍ３（１３）に近づけて吸引力が働けば玄関扉は簡単に開けられ家人が大変困る。
その対策として、開発した盗難防止用鍵の安全性を高めるために円形永久磁石Ｍ３（１３）と玄関扉の室外アルミニュウム板に沿って動かす角形又は円形永久磁石も図４ｃに示す丸形多極或いは角形多極を用いれば磁極数がわからない限り暗証番号と同じで簡単に玄関扉は開かない。
安全な盗難防止用鍵の装置に用いた永久磁石を電気磁石にして用いる事も出来る。その場合商用周波数５０Ｈｚ或いは６０Ｈｚで、交流電圧が１００Ｖから変圧器で低電圧にして用いる方法がある。交流電圧は＋−が交互に変化するので（電気磁石の磁極はＮ極とＳ極が交互にかわる）騒音が出やすい。騒音を無くすには交流電圧を直流電圧に変換して使用する。電気磁石を用いると装置が大きくなり、又停電した時には蓄電池に切り替える装置が不可欠であり、費用もかなり高くなる欠点がある。
現在市販されている角形又は円形永久磁石は小型で色々の種類のものがあって磁力もかなり強い。停電しても心配ないし、価額もかなり安いという利点がある。
以上の利点から安全な盗難防止用鍵の装置には現在市販に出ている永久磁石を用いた。
図３に示すように２個の２段歯車機構とラックおよびピニオン歯車そうして円形永久磁石Ｍ３（１３）を丸形多極或いは角形多極にして構成した安全な盗難防止用鍵の装置。
このような鍵を利用すると玄関扉の室外には鍵穴がないので泥棒にとってはピッキングやサムターン回しは通用せず、どの様な鍵構造か分からないので泥棒は侵入する事が出来ない。
【実施例２】
【００１１】  本発明の２番目の装置の実施の形態を述べると、詳細な構造を図５を用いて説明する。
図５に示すように固定の玄関扉に取り付けたストライク（２）の中へラッチボルト（１Ａ）と（１Ｂ）を挿入する時に玄関扉は鍵の掛かった状態になる。玄関扉を強く引いてもラッチボルト（１Ａ）と（１Ｂ）が強度に十分耐えられるような容器（４）で支えた。
ストライク（２）の中へラッチボルト（１Ａ）と（１Ｂ）を挿入する時は図５に示すようにラッチボルト（１Ａ）の後方に細い円柱棒に円形永久磁石Ｍ４（１５ａ）を固定し、ラッチボルト（１Ｂ）の後方にも細い円柱棒に円形永久磁石Ｍ５（１５ｂ）も固定にした。
図５に示すように円形永久磁石Ｍ４とＭ５は並列に並んだ後方に間隔を隔てて角形永久磁石Ｍ６（１６）を置く。
２個の円形永久磁石Ｍ４（１５ａ）とＭ５（１５ｂ）の磁極面の磁極は（Ｎ極か或いはＳ極）で角形永久磁石Ｍ６（１６）の磁極面の磁極は（Ｎ極か或いはＳ極）である。３個のＭ４とＭ５及びＭ６の永久磁石の磁極面の磁極をＮ極にすると、磁石の同極同士は反発する。Ｍ１とＭ２の同極間には反発力が働く。２個の円形永久磁石（Ｍ４とＭ５）と角形永久磁石Ｍ６の同極間でも反発力が働く。この反発力でストライク（２）の中へ２個のラッチボルト（１Ａと１Ｂ）が挿入し、自動的に鍵が掛かる。
２個の円形永久磁石（Ｍ４とＭ５）と角形永久磁石Ｍ６の同極間の反発力の大きさを微調整するために角形永久磁石Ｍ６を円柱棒（７ｂ）に結合して、円柱棒（７ｂ）を支持台（８ａ）で支えた。円柱棒（７ｂ）を可動して最適値が決まると２個の円形永久磁石永久磁石（Ｍ４とＭ５）と角形永久磁石Ｍ６の間隔  を保持するために円柱棒（７ｂ）を支持台（８ａ）の横に設けたネジ（８ｃ）で固定した。
図５に示すようにこの盗難防止用鍵は１つのストライク（２）の中に独立した２個のラッチボルト（１Ａ）と（１Ｂ）が抽出或いは挿入できるような構造にしてある。
最初にラッチボルト（１Ａ）の動作について述べる。
ストライク（２）の中からラッチボルト（１Ａ）を抽出或いは挿入する場合ラッチボルト（１Ａ）の側面に取り付けてあるラック（５ａ）が往復直線運動する。ラック（５ａ）が滑らかに往復直線運動するようにラック（５ａ）と噛み合う相手のピニオン歯車（９ａ）も時計方向あるいは反時計方向に回転すれば良い。
このような動作を自動的に出来るようにするには図５に示す２段歯車機構（１０ａ）と図３ｂに示すようにピニオン歯車（９ａ）の軸と２段歯車機構（１０ａ）のＡの歯車の軸を直接結合した。Ｄの歯車の軸と２段歯車機構（１４ａ）のＤの歯車の軸もサンエス・フレックスシャフト（１８ａ）を用いて結合した。
円形永久磁石Ｍ４（１５ａ）の磁極面の磁極がＮ極で角形永久磁石Ｍ６（１６）の磁極面の磁極がＮ極であると同極間で反発力が働く。この反発力でストライク（２）の中へラッチボルト（１Ａ）が挿入する。ラッチボルト（１Ａ）の側面に取り付けてあるラック（５ａ）も往復直線運動してピニオン歯車（９ａ）が回転するとピニオン歯車の軸を介して（１０ａ）と（１４ａ）の２個の２段歯車機構の各歯車が連動する。図４ｂに示すようにラック（１１ａ）の下部に取り付けた円形永久磁石Ｍ３（１３ａ）は玄関扉の室外アルミニュウム板から離れる。
ラック（１１ａ）が滑らかに往復直線運動できるように、ラック（１１ａ）の両面にベアリング（１２）の幅の溝を付けた。このラック（１１ａ）の両面に付けた溝に左右２個のベアリング（１２）を沿わす。ラック（１１ａ）が往復直線運動すると左右２個のベアリングは回転する。
図４ａに示すようにラック（１１ａ）を垂直に支える枠（１２ａ）の左右両側に上下２個ずつベアリング（１２）がある。ベアリング（１２）を設ける事によってラック（１１ａ）が滑らかに往復直線運動できる。
図２に示す玄関扉の室外と室内のアルミニュウム板の枠内に上に述へた装置を装荷する。玄関扉の室外アルミニュウム板の表面に沿って動かす角形又は円形永久磁石の磁極面の磁極をＮ極とする。玄関扉の室外と室内のアルミニュウム板の枠内に装荷した円形永久磁石Ｍ３（１３ａ）の磁極面の磁極はＳ極である。このＮ極をＭ３（１３ａ）に近づけると磁力線はアルミニュウム板を透磁して円形永久磁石Ｍ３（１３ａ）の間に異極間が生じる。異極間に吸引力が働くと、玄関扉の室外のアルミニュウム板の方へ円形永久磁石Ｍ３（１３ａ）が引き寄せられる。
この吸引力でラック（１１ａ）が往復直線運動すると２段歯車機構（１４ａ）の各々の歯車が連動して２段歯車機構（１０ａ）も作動する。ピニオン歯車（９ａ）が回転するとラック（５ａ）も往復直線運動してストライク（２）の中からラッチボルト（１Ａ）を抽出して玄関扉が開く。
次に玄関扉の室外アルミニュウム板の表面に沿って動かす角形又は円形永久磁石を取り除くと円形永久磁石Ｍ３（１３ａ）への吸引力は無くなる。この吸引力がないとＭ３（１３ａ）は室外アルミニュウム板から離れると２段歯車機構は動作しない。ラッチボルト（１Ａ）はストライク（２）の中へ挿入する。その動作を説明する。
円形永久磁石Ｍ４（１５ａ）と角形永久磁石Ｍ６（１６）の両方の磁極面の磁極はＮ極である。Ｍ４（１５ａ）とＭ６（１６）の磁石の同極同士は反発する。同極間の反発力は常時働いているので、ストライク（２）の中へラッチボルト（１Ａ）が挿入する。ラッチボルト（１Ａ）が挿入するとラッチボルト（１Ａ）の側面に取り付けたラック（５ａ）が往復直線運動する。ラック（５ａ）が往復直線運動してピニオン歯車（９ａ）が回転する。ピニオン歯車（９ａ）を介して（１０ａ）と（１４ａ）の２個の２段歯車機構の各歯車が連動するとラック（１１）の下部に取り付けた円形永久磁石Ｍ３（１３ａ）も作動し、円形永久磁石Ｍ３（１３ａ）は玄関扉の室外アルミニュウム板から自動的に離れて玄関扉が閉まる。
次にラッチボルト（１Ｂ）の動作について述べる。
ストライク（２）の中からラッチボルト（１Ｂ）を抽出又は挿入する時にラッチボルト（１Ｂ）の側面に取り付けてあるラック（５ｂ）が往復直線運動するとラック（５ｂ）と噛み合う相手のピニオン歯車（９ｂ）を時計方向あるいは反時計方向に回転すれば良い。
このような動作を自動的に出来るようにするためには図５に示す２段歯車機構（１０ｂ）と図３ｂに示すようにピニオン歯車（９ｂ）の軸と２段歯車機構（１０ｂ）のＡの歯車の軸を直接結合し、Ｄの歯車の軸と２段歯車機構（１４ｂ）のＤの歯車の軸もサンエス・フレックスシャフト（１８ｂ）を用いて結合した。
円形永久磁石Ｍ５（１５ｂ）の磁極面の磁極がＮ極で角形永久磁石Ｍ６（１６）の磁極面の磁極がＮ極であると同極間で反発力が働く。この反発力でストライク（２）の中へラッチボルト（１Ｂ）が挿入する。ラッチボルト（１Ｂ）の側面に取り付けてあるラック（５ｂ）も往復直線運動してピニオン歯車（９ｂ）が回転するとピニオン歯車の軸を介して（１０ｂ）と（１４ｂ）の２個の２段歯車機構の各歯車が連動する。図４ｂに示すようにラック（１１ｂ）の下部に取り付けた円形永久磁石Ｍ３（１３ｂ）は玄関扉の室外アルミニュウム板から離れる。
ラック（１１ｂ）が滑らかに往復直線運動できるように、ラック（１１ｂ）の両面にベアリング（１２）の幅の溝を付けた。このラック（１１ｂ）の両面に付けた溝に左右２個のベアリング（１２）を沿わす。ラック（１１ｂ）が往復直線運動すると左右２個のベアリング（１２）はそれぞれ回転する。
図４ａに示すようにラック（１１ｂ）を垂直に支える枠（１２ａ）の左右両側に上下２個ずつベアリング（１２）がある。ベアリング（１２）を設ける事によってラック（１１ｂ）が滑らかに往復直線運動できる。
図２に示す玄関扉の室外と室内のアルミニュウム板の枠内に上に述べた装置を装荷する。玄関扉の室外アルミニュウム板の表面に沿って動かす角形又は円形永久磁石の磁極面の磁極をＮ極とする。
玄関扉の室外と室内のアルミニュウム板の枠内に装荷した円形永久磁石Ｍ３（１３ｂ）の磁極面の磁極はＳ極である。このＮ極をＳ極を近づけると磁力線はアルミニュウム板を透磁して円形永久磁石Ｍ３（１３ｂ）の間に異極間が生じる。異極間には吸引力が働くと、玄関扉の室外のアルミニュウム板の方へ円形永久磁石Ｍ３（１３ｂ）が引き寄せられる。
この吸引力でラック（１１）が往復直線運動すると２段歯車機構（１４ｂ）の各々の歯車が連動し２段歯車機構（１０ｂ）も作動する。ピニオン歯車（９ｂ）が回転するとラック（５ｂ）も往復直線運動してストライク（２）の中からラッチボルト（１Ｂ）を抽出して玄関扉が開く。
次に玄関扉の室外アルミニュウム板の表面に沿って動かす角形又は円形永久磁石を取り除くと円形永久磁石Ｍ３（１３ｂ）への吸引力は無くなる。この吸引力がないとＭ３（１３ｂ）は室外アルミニュウム板から離れると２段歯車機構は動作しない。ラッチボルト（１Ｂ）ストライク（２）の中へ挿入する。その動作を説明する。
円形永久磁石Ｍ５（１５ｂ）と角形永久磁石Ｍ６（１６）の両方の磁極面の磁極はＮ極である。Ｍ５（１５ｂ）とＭ６（１６）の磁石の同極同士は反発する。同極間の反発力は常時働いているので、ストライク（２）の中へラッチボルト（１Ｂ）が挿入する。ラッチボルト（１Ｂ）が挿入するとラッチボルト（１Ｂ）の側面に取り付けたラック（５ｂ）が往復直線運動する。ラック（５ｂ）が往復直線運動してピニオン歯車（９ｂ）が回転する。ピニオン歯車（９ｂ）を介して（１０ｂ）と（１４ｂ）の２個の２段歯車機構の各歯車が連動するとラック（１１ｂ）の下部に取り付けた円形永久磁石Ｍ３（１３ｂ）も作動し、円形永久磁石Ｍ３（１３ｂ）は玄関扉の室外アルミニュウム板から自動的に離れて玄関扉が閉まる。
ラッチボルト（１Ａ）と（１Ｂ）を別々にしたのは玄関扉の室外から角形永久磁石を室内の円形永久磁石Ｍ３（１３ａ）に近ずけてラッチボルト（１Ａ）の回路だけ動作させてもストライク（２）の中からラッチボルト（１Ａ）を抽出してもストライク（２）の中にはラッチボルト（１Ｂ）が挿入されたままになっているので玄関扉は開かない。
また、この逆の場合も同じである。ラッチボルト（１Ａ）と（１Ｂ）の２回路が同時に作動しないと玄関扉は開かない。
サンエス・フレックスシャフト（１８ａ）と（１８ｂ）の長さを変えてラッチボルト（１Ａ）と（１Ｂ）の２つの回路内の２段歯車機構（１４ａ）と（１４ｂ）の位置を任意に決められるし、円形永久磁石のＭ３（１３ａ）の磁極面の磁極をＳ極にし（１３ｂ）の磁極面の磁極をＮ極にする方法がある。
もし偶然に２個の円形永久磁石Ｍ３（１３ａ）の磁極面の磁極をＳ極と（１３ｂ）の磁極面の磁極をＮ極であることが分かり、２個の円形永久磁石Ｍ３（１３ａ）と（１３ｂ）の配置した場所も分かれば磁石の異極間には吸引力が作用する。
玄関扉の室外アルミニュウム板の表面に沿って動かす角形又は円形永久磁石の磁極面の磁極をＳ極とする。玄関扉の室外と室内のアルミニュウム板の枠内に装荷した円形永久磁石Ｍ３（１３ｂ）の磁極面の磁極がＮ極である。このＳ極をＮ極に近づけると磁力線はアルミニュウム板を透磁して円形永久磁石Ｍ３（１３ｂ）の間に異極間が生じる。異極間には吸引力が働くと、玄関扉は簡単に開けられ家人が大変困る。
その対策として、開発した盗難防止用鍵の安全性を高めるために図４ｃに示すように円形永久磁石のＭ３（１３ａ）と（１３ｂ）および玄関扉の室外アルミニュウム板の表面に沿って円形永久磁石のＭ３（１３ａ）と（１３ｂ）を吸引する２個の角形永久磁石も丸形多極或いは角形多極にすれば暗証番号と同じで簡単に玄関扉を開かない。
このような鍵を利用すると玄関扉の室外には鍵穴がないので泥棒にとってはピッキングやサムターン回しは通用せず、どの様な鍵構造か分からないので泥棒は侵入する事が出来ない。
【実施例３】
【００１２】  本発明の３番目の装置の実施の形態を述べると、詳細な構造を図６を用いて説明する。
図６に示すように固定の玄関扉に取り付けたストライク（２）の中にラッチボルト（１）を挿入した時に玄関扉の鍵が掛かった状態になる。玄関扉を強く引いてもラッチボルト（１Ａ）と（１Ｂ）が強度に十分耐えられるように容器（４）で支えた。
ストライク（２）の中へラッチボルト（１）を挿入する時は図６に示すようにラッチボルト（１）の後方に細い円柱棒に永久磁石Ｍ１（６ａ）を固定し、Ｍ１の後方に間隔を隔ててＭ２（６ｂ）を置いた。２個の円形の永久磁石Ｍ１の磁極面の磁極を（Ｎ極或いはＳ極）とＭ２の磁極面の磁極を（Ｎ極或いはＳ極）にすると、磁石の同極同士は反発する。Ｍ１とＭ２の同極間には反発力が働く。この反発力でストライク（２）の中へラッチボルト（１）が挿入し、自動的に鍵が掛かる。
円形永久磁石Ｍ１（６ａ）とＭ２（６ｂ）の同極間の反発力の大きさを微調整するに永久磁石Ｍ２を回転出来るようにネジを切った円柱棒（７ａ）に結合して、円柱棒（７ａ）を支持台（８ａ）で支えた。円柱棒（７ａ）を動かして反発力の大きさを調整する。反発力の大きさを微調整して最適値が決まれば円形永久磁石Ｍ１とＭ２の間隔  を保持するために円柱棒（７ａ）を支持台（８ａ）の横に設けた六角ナット（８ｂ）で固定した。
ラッチボルト（１）の側面にある長さのラック（５）を止めネジで固定した。ストライク（２）の中からラッチボルト（１）を抽出する時はラッチボルト（１）の側面に取り付けてあるラック（５）が往復直線運動するにはラック（５）と噛み合う相手のピニオン歯車（９）を時計方向あるいは反時計方向に回転すれば良い。
このような動作を自動的にするには図３ａに示すように２段歯車機構（１０）と図３ｂに示すようにピニオン歯車（９）の軸と２段歯車機構（１０）のＡの歯車の軸を直接結合した。Ｄの歯車の軸と２個の２段歯車機構（１４ａと１４ｂ）との結合間に傘歯車を用いた２分配回路を作成して結合した。
傘歯車を用いた２分配回路の入力（１９ａ）の歯車軸と２段歯車機構（１０）のＤの歯車の軸と直接結合し、出力（１９ｂ）の歯車軸は歯車機構（２０）を介して２段歯車機構（１４ａ）へ結合する。もう一方の出力（１９ｃ）の歯車軸は歯車機構（２１）を介して２段歯車機構（１４ｂ）へ結合した。
傘歯車を用いた２分配回路の入力（１９ａ）の歯車の回転方向と２個の２段歯車機構（１４ａと１４ｂ）の回転方向を同じ回転方向にするために回転方向を正または負方向に変えられる変換歯車機構（２０）と（２１）を用いた。
ラック（５ａ）と（５ｂ）も同時に往復直線運動してピニオン歯車（９ａ）と（９ｂ）が回転するとピニオン歯車の軸を介して２段歯車機構から２分配回路系（１９ａ）を介し、２個の２段歯車機構（１４ａ）と（１４ｂ）の各歯車が連動すると図４に示すように（１４ａ）と（１４ｂ）のラック（１１）の下部に取り付けた円形永久磁石Ｍ３（１３ａ）と（１３ｂ）も作動する。
２個の２段歯車機構（１４ａ）と（１４ｂ）に用いているラックを（１１）を（１１ａ）と（１１ｂ）とする。ラック（１１ａ）と（１１ｂ）が滑らかに往復直線運動できるようにラック（１１ａ）と（１１ｂ）の両面にベアリング（１２）の幅の溝を付けた。このラック（１１ａ）と（１１ｂ）の両面に付けた溝に各々左右２個のベアリング（１２）を沿わす。ラック（１１ａ）と（１１ｂ）が往復直線運動すると左右２個のベアリング（１２）は回転する。
Ｉ番目に図２に示す玄関扉の室外と室内のアルミニュウム板の枠内に図６に示す装置を装荷する。玄関扉の室外アルミニュウム板も表面に沿って動かす２個の角形又は円形永久磁石の磁極面の磁極をＮ極とし、一方の角形又は円形永久磁石の磁極面の磁極をＳ極とする。玄関扉の室外と室内のアルミニュウム板の枠内に装荷した円形永久磁石Ｍ３（１３ａ）の磁極面の磁極をＳ極とし、一方のＭ３（１３ｂ）の磁極面の磁極はＮ極とする。角形又は円形永久磁石のＮ極を玄関扉の室外アルミニュウム板を介して円形永久磁石Ｍ３（１３ａ）のＳ極に近づける。次に角形又は円形永久磁石のＳ極を円形永久磁石Ｍ３（１３ｂ）のＮ極に近づける。Ｍ３（１３ａ）とＭ３（１３ｂ）の両方に異極間が生じる。異極間に吸引力が働くと円形永久磁石Ｍ３（１３ａ）とはＭ３（１３ｂ）は玄関扉の室外のアルミニュウム板の方へ引き寄せられる。この吸引力でラック（１１ａ）と（１１ｂ）が往復直線運動すると２段歯車機構（１４ａ）と（１４ｂ）の各々の歯車機構が連動し、傘歯車も回転して２段歯車機構（１０）も作動する。ピニオン歯車（９）が回転するとラック（５）も往復直線運動してストライク（２）の中からラッチボルト（１）を抽出して玄関扉が開く。
ＩＩ番目に玄関扉の室外アルミニュウム板も表面に沿って動かす２個の角形又は円形永久磁石の両方を取り除くと、玄関扉の室外と室内の枠内に装荷してある円形永久磁石Ｍ３（１３ａ）とＭ３（１３ｂ）の両方には吸引力は無い。吸引力がなくなると円形永久磁石Ｍ１（６ａ）とＭ２（６ｂ）の同極間の反発力は常時働いているので、ストライク（２）の中へラッチボルト（１）が挿入する。ラッチボルト（１）が挿入するとラッチボルト（１）の側面に取り付けたラック（５）が往復直線運動する。ラック（５）が往復直線運動してピニオン歯車（９）が回転する。ピニオン歯車（９）を介して２段歯車機構（１０）の各歯車が連動して傘歯車を用いた２分配回路から２個の歯車機構（１４ａ）と（１４ｂ）の各々の歯車が連動するとラック（１１ａ）と（１１ｂ）の下部に取り付けた円形永久磁石Ｍ３（１３ａ）とＭ３（１３ｂ）も作動し、円形永久磁石Ｍ３（１３ａ）とＭ３（１３ｂ）は玄関扉の室外アルミニュウム板から自動的に離れて玄関扉が閉まる。
ＩＩＩ番目に玄関扉の室外アルミニュウム板も表面に沿って動かす２個の角形又は円形永久磁石の磁極面の磁極をＮ極とし、もう一方の角形又は円形永久磁石を取り除く。
角形又は円形永久磁石の磁極面の磁極がＮ極と円形永久磁石Ｍ３（１３ａ）の磁極面の磁極がＳ極の間に異極間が生じて吸引力が働く。この吸引力で円形永久磁石Ｍ３（１３ａ）は玄関扉の室外アルミニュウム板の方へ引き寄せようとするが、２段歯車機構（１４ａ）の各々の歯車が作動しにくい。その理由は２段歯車機構（１４ａ）の歯車軸から傘歯車の軸へ連動して２段歯車機構（１４ｂ）へと連動しようとするが、Ｍ３（１３ｂ）は吸引力が無いので室外アルミニュウム板から離れているので、２段歯車機構（１４ｂ）は作動しない。
なぜならば２段歯車機構（１４ａ）の軸から傘歯車を用いた２分配回路系を経て２段歯車機構（１４ｂ）の方向と２段歯車機構（１０）の方向へと分かれ、それぞれ大きな負荷が掛かった事になる。２段歯車機構（１４ａ）の各々の歯車が作動しにくいのでストライク（２）の中へラッチボルト（１）が挿入したままでは抽出出来ないので玄関扉は開かない。この逆の場合も同じである。
２段歯車機構（１０）のＤ歯車の軸と２分配回路の入力側の軸をサンエス・フレックスシャフトで結合し、２分配回路の２つの出力側の軸から２段歯車機構（１４ａ）と（１４ｂ）サンエス・フレックスシャフト（１８）で結合する。サンエス・フレックスシャフト（１８）の長さを変えて用いると２分配回路の位置と２段歯車機構（１４ａ）および（１４ｂ）の配置をそれぞれ任意に決められるし、円形永久磁石のＭ３（１３ａ）の磁極面の磁極をＳ極にし（１３ｂ）の磁極をＮ極にする方法がある。
もし偶然に２個の円形永久磁石Ｍ３（１３ａ）の磁極面の磁極をＳ極と（１３ｂ）の磁極がＮ極であることがわかり、２個の円形永久磁石Ｍ３（１３ａ）と（１３ｂ）の配置した場所もわかれば磁石の異極間には吸引力が作用するから玄関扉の室外アルミニュウム板の表面に沿って動かす角形又は円形永久磁石の磁極面の磁極も（１３ａ）に対してＮ極にし、（１３ｂ）に対してはＳ極にすれば玄関扉は簡単に開けられて家人が大変困る。
その対策として、開発した盗難防止用鍵の安全性を高めるために図４ｃに示すように円形永久磁石のＭ３（１３ａ）と（１３ｂ）および玄関扉の室外アルミニュウム板の表面に沿って円形永久磁石のＭ３（１３ａ）と（１３ｂ）を吸引する２個の角形又は円形永久磁石も丸形多極或いは角形多極にすれば暗証番号と同じで簡単に玄関扉を開かない。
開発した盗難防止用鍵はどの様な鍵構造か分からないので泥棒は侵入する事が出来ない。
【産業上の利用可能性】
【００１３】  本発明は、玄関扉に鍵穴は無く、扉の室外にはハンドルだけである。玄関扉の室外と室内の枠内に２段歯車機構と永久磁石の磁極数の多い角形多極或いは丸形多極で構成した盗難防止用鍵を装荷する。
玄関扉のストライクの中からラッチボルトを抽出するには玄関扉の室外アルミニュウム板の表面に沿って角形又は円形永久磁石を動かすと磁力線はアルミニュウム板を透磁して抽出装置（１４）と（１４ａ）及び（１４ｂ）内の円形永久磁石（１３）と（１３ａ）及び（１３ｂ）に吸引力が働く。この吸引力でストライク（２）の中からラッチボルト（１）を抽出して玄関扉が開く。
もし偶然に玄関扉の室外アルミニュウム板の表面に沿って動かす角形永久磁石の磁極と円形永久磁石（１３）と（１３ａ）及び（１３ｂ）の磁極が分かって合わされると玄関扉は簡単に開けられたら家人は大変困る。
その対策として、盗難防止用鍵をさらに安全性を高めるに円形永久磁石（１３）と（１３ａ）及び（１３ｂ）を永久磁石の磁極数が多い丸形多極或いは角形多極を用いることである。また玄関扉の室外アルミニュウム板の表面に沿って動かす角形永久磁石の磁極数が丸形多極或いは角形多極を用いて磁極数を合わさないと玄関扉は閉じたままで開かない。
家人以外はどうして玄関扉を開けたら良いか分からない安全な盗難防止用鍵の装置に関するものである。
【図面の簡単な説明】
【００１４】
【図１】  従来の玄関扉に取り付けた鍵の一例を示す図である。
【図２】  本発明に関する盗難防止器用鍵を使用した為に玄関扉に鍵穴がない。
【図３】  本発明の実施の一例を示す構造の全体図である。
【図４】  本発明に関する構造図である。
【図５】  本発明の実施の一例を示す構造の全体図である。
【図６】  本発明の実施の一例を示す構造の全体図である。
【符号の説明】
【００１５】  １    ラッチボルト
１Ａ  ラッチボルトＡ
１Ｂ  ラッチボルトＢ
２    ストライク
３    ラッチボルトを固定するネジ
４    ラッチボルトを支える容器
５    ラック
５ａ  ラック
５ｂ  ラック
６ａ  円形永久磁石Ｍ１
６ｂ  円形永久磁石Ｍ２
７ａ  ２枚の円形永久磁石Ｍ１とＭ２間の反発力を調整するネジ
７ｂ  角形永久磁石Ｍ６を支える円柱棒
８ａ  円形永久磁石Ｍ２を支える軸受け台
８ｂ  円形永久磁石Ｍ２を固定する六角ナット
８ｃ  （７ｂ）を固定する止めネジ
９    ピニオン歯車
９ａ  ピニオン歯車
９ｂ  ピニオン歯車
１０    ２段歯車機構
１０ａ  ２段歯車機構
１０ｂ  ２段歯車機構
１１    ラック
１１ａ  ラック
１１ｂ  ラック
１２    ベアリング
１２ａ  ベアリング
１２ｂ  ラックを垂直に支える枠
１３    円形永久磁石Ｍ３
１３ａ  円形永久磁石Ｍ３
１３ｂ  円形永久磁石Ｍ３
１４    （１１）の下部に（１３）を取り付けて組み合わせた２段歯車機構
１４ａ  （１１ａ）の下部に（１３ａ）を取り付けて組み込んだ２段歯車機構
１４ｂ  （１１ｂ）の下部に（１３ｂ）を取り付けて組み込んだ２段歯車機構
１５ａ  円形永久磁石Ｍ４
１５ｂ  円形永久磁石Ｍ５
１６    角形永久磁石Ｍ６
１８ａ  サンエス・フレックスシャフト
１８ｂ  サンエス・フレックスシャフト
１９    傘歯車を用いた２分配回路
１９ａ  傘歯車を用いた２分配回路の入力
１９ｂ  傘歯車を用いた２分配回路の出力
１９ｃ  傘歯車を用いた２分配回路の出力
２０    ２分配回路入力の歯車の回転方向と（１４ａ）の回転方向を同じ方向にする変換歯車機構
２１    ２分配回路入力の歯車の回転方向と（１４ｂ）の回転方向を同じ方向にする変換歯車機構
【図１】
2005256589.tif 000003
【図２】
2005256589.tif 000004
【図３】
2005256589.tif 000005
【図４】
2005256589.tif 000006
【図５】
2005256589.tif 000007
【図６】
2005256589.tif 000008